(57)【要約】【課題】高データレート無線システムでの送信のための信号のフォーマッティングに対するハイブリッド手法を提供すること。【解決手段】本発明人は、ＨＲＰＤフレームのフォーマットおよびタイミングを維持するが、フレーム内の選択されたスロットのデータ部分は、ＣＤＭＡ送信ではなくＯＦＤＭＡ送信を介して与えられる。ＯＦＤＭＡは、自己干渉に対して堅牢なので、低いＳＩＮＲ（Ｓｉｇｎａｌ−ｔｏ−Ｉｎｔｅｒｆｅｒｅｎｃｅ−Ｎｏｉｓｅ  Ｒａｔｉｏ）が純ＣＤＭＡデータ・レートを制限する可能性がある少なくともいくつかのスロットを含む、より多数のスロットで高いスループットを達成することができる。【選択図】図３
2006254455.tif 000002
【特許請求の範囲】
【請求項１】
エア・インターフェースを介して受信器にデータを送信する方法であって、各送信は、スロットに副分割された１つまたは複数のフレームの形をとり、
少なくとも１つのフレームで、その各スロットをＣＤＭＡまたはＯＦＤＭＡとして指定することと、
ＣＤＭＡフォーマットのデータを各ＣＤＭＡと指定されたスロットにマッピングすること（４０）と、
ＯＦＤＭＡフォーマットのデータを各ＯＦＤＭＡと指定されたスロットにマッピングすること（７０）と、
ＣＤＭＡフォーマットされたデータとＯＦＤＭＡフォーマットされたデータとの両方を含む少なくとも１つの前記フレームを送信することと
を含む方法。
【請求項２】
前記受信器が、無線通信ネットワークのユーザ端末である、請求項１に記載の方法。
【請求項３】
前記受信器が、無線通信ネットワークの基地局である、請求項１に記載の方法。
【請求項４】
受け入れ可能なデータ・レートの少なくとも１つの表示を入手することをさらに含み、ＣＤＭＡまたはＯＦＤＭＡとしての前記スロットの前記指定が、前記表示に応答して行われる、請求項１に記載の方法。
【請求項５】
ＯＦＤＭＡとしてのスロットの少なくとも１つの指定が、Ｅ−ＤＲＣ信号の受信に応答して行われる、請求項１に記載の方法。
【請求項６】
ＯＦＤＭＡフォーマットのデータの前記マッピングが、前記Ｅ−ＤＲＣ信号に応答して送信データ・レートを指定することを含む、請求項５に記載の方法。
【請求項７】
各スロットで、複数の周波数チャネルのそれぞれでの送信について許容可能なデータ・レートの表示を入手することと、
少なくとも１つのＯＦＤＭＡスロットで、前記受信器へのデータの同時送信について複数の周波数チャネルを指定することであって、めいめいのデータ・レートが、前記表示に応答して各指定される周波数チャネルに割り当てられる、指定することと
をさらに含む、請求項１に記載の方法。
【請求項８】
ＣＤＭＡスロットが、少なくとも１つの共通周波数チャネルを使用してＯＦＤＭＡスロットと時分割多重化される、請求項１に記載の方法。
【請求項９】
ＣＤＭＡスロットが、同時ＯＦＤＭＡスロットと周波数多重化される、請求項１に記載の方法。
【請求項１０】
所与のタイムスロット内の複数の周波数チャネルのそれぞれを介する送信の許容可能なデータ・レートの表示を入手することと、
前記表示に応答して、複数の前記チャネルを選択し、各選択されたチャネルのめいめいのデータ・レートを選択することと、
前記選択されたチャネルでの前記選択されたデータ・レートでの同時送信のためにデータをＯＦＤＭＡフォーマットにマッピングすることと、
前記ＯＦＤＭＡフォーマットされたデータを所与のタイムスロットに送信することと
を含む、エア・インターフェースを介して受信器にデータを送信する方法。
【発明の詳細な説明】
【技術分野】
【０００１】
本発明は、無線ネットワークでの送信のためにパケット・データをフォーマットする方法に関する。
【背景技術】
【０００２】
無線ネットワークでのパケット・データの高速送信への関心が高まっている。既知の方法に、ＨＲＰＤなど、ＣＤＭＡ信号に基づくものが含まれる。これに関して有用ではあるが、現在実践されているＣＤＭＡは、ある制限をこうむる。たとえば、厳しいマルチパス環境で、自己干渉が、ＣＤＭＡフォワード・リンクで達成可能なスループットを制限する傾向がある。新生の無線システムに要求される非常に高いデータ・レートを達成するために、とりわけこの制限を軽減する必要がある。
【非特許文献１】Ｋ．Ｈｉｇｕｃｈｉ  ｅｔ  ａｌ．，“Ｍｕｌｔｉｐａｔｈ  ｉｎｔｅｒｆｅｒｅｎｃｅ  ｃａｎｃｅｌｌｅｒ  ｆｏｒ  ｈｉｇｈ−ｓｐｅｅｄ  ｐａｃｋｅｔ  ｔｒａｎｓｍｉｓｓｉｏｎ  ｗｉｔｈ  ａｄａｐｔｉｖｅ  ｍｏｄｕｌａｔｉｏｎ  ａｎｄ  ｃｏｄｉｎｇ  ｓｃｈｅｍｅ  ｉｎ  Ｗ−ＣＤＭＡ  ｆｏｒｗａｒｄ  ｌｉｎｋ，”ＩＥＥＥ  Ｊｏｕｒｎａｌ  ｏｎ  Ｓｅｌｅｃｔｅｄ  Ａｒｅａｓ  ｉｎ  Ｃｏｍｍｕｎｉｃａｔｉｏｎｓ  ２０（Ｆｅｂ．２００２），４１９−４３２．
【発明の開示】
【発明が解決しようとする課題】
【０００３】
本発明人は、送信のために信号をフォーマットするハイブリッド手法を開発した。
【課題を解決するための手段】
【０００４】
本発明人は、ＨＲＰＤフレームのフォーマットおよびタイミングを維持するが、フレーム内の選択されたスロットのデータ部分は、ＣＤＭＡ送信ではなくＯＦＤＭＡ送信を介して与えられる。ＯＦＤＭＡは、自己干渉に対して堅牢なので、低いＳＩＮＲ（信号対干渉雑音比／Ｓｉｇｎａｌ−ｔｏ−Ｉｎｔｅｒｆｅｒｅｎｃｅ−Ｎｏｉｓｅ  Ｒａｔｉｏ）が純ＣＤＭＡデータ・レートを制限する可能性がある少なくともいくつかのスロットを含む、より多数のスロットで高いスループットを達成することができる。
【０００５】
特定の実装で、ＣＤＭＡスロットの時間多重化共通パイロット・チャネルが、受信器でＳＩＮＲ値を計算するのに使用される。ＰＳＩＣ（パイロット自己干渉打消し／Ｐｉｌｏｔ  Ｓｅｌｆ−Ｉｎｔｅｒｆｅｒｅｎｃｅ  Ｃａｎｃｅｌｌａｔｉｏｎ）が、しばしば、計算されたＳＩＮＲをより高い値におしやる。これらのより高いＳＩＮＲ値は、ある種の場合に、受信器に、ＣＤＭＡ干渉シーリングを超えるデータ・レートが許容可能であることを示すＥ−ＤＲＣ（拡張ダイナミックレート制御／Ｅｅｘｔｅｎｄｅｄ  Ｄｙｎａｍｉｃ  Ｒａｔｅ  Ｃｏｎｔｒｏｌ）信号を送信器に返させる。送信器は、ＣＤＭＡスロットではなくＯＦＤＭＡスロットで送信することによって応答することができる。
特定の実装で、本発明のハイブリッド・フォーマットは、基地局から個々のユーザへの無線システムのフォワード・リンクでの送信に使用される。
【発明を実施するための最良の形態】
【０００６】
次では、ＣＤＭＡフォーマットおよびＯＦＤＭＡフォーマットの組合せを基地局からユーザ端末へのフォワード・リンクで使用する、例示的実施形態を説明する。本発明は、フォワード・リンクでその最も直接的な応用例を見出す可能性が高いが、その可能な応用例は、フォワード・リンクに制限されず、たとえばリバース・リンクへの応用も、その範囲に含まれると考えられる。
【０００７】
本明細書では、用語「アクセス・ネットワーク（ＡＮ）」を、基地局およびＲＮＣを集合的に表すのに使用し、用語「アクセス端末（ＡＴ）」を、個々のユーザ端末または類似物を表すのに使用する。
【０００８】
図１に、概略的な形で、ＡＮ  １０からＡＴ  ２０．１へのフォワード・リンク通信を示すが、このＡＴ  ２０．１は、複数のアクセス端末２０．１、２０．２などの中の１つである。この図では、セル３０が、内側部分３０．１および外側部分３０．２に分割されていることがわかる。一般に、特定のチャネル状態、トラフィック状態、物体の存在、および他の環境特徴に従属してもいるが、内側部分３０．１に位置するアクセス端末へのフォワード送信は、自己干渉をより受けやすく、外側部分３０．２に位置するアクセス端末に向けられたフォワード送信は、他のセル干渉をより受けやすい。領域３０．１と３０．２の間の境界は、厳密には画定されず、例示だけのために含まれる。
【０００９】
図２に、概略的な形で、データ・フィールド５０．１、５０．２、５５．１、および５５．２、パイロット・フィールド５０．３および５５．３、ならびにＭＡＣフィールド５０．４、５０．５、５５．４、および５５．５に分割された通常のＣＤＭＡスロット４０を示す。周知のＣＤＭＡ変調技法による適当な拡散コードを用いて変調された時に、各フィールドは、さらに、チップ（図示せず）に副分割される。ＣＤＭＡ送信は、複数のＡＴが１スロット内でサービスされるように時分割多重化することができる。
【００１０】
図３に、概略的な形で、例示的な実施形態での本発明によるＯＦＤＭＡスロット７０を示す。ＯＦＤＭＡスロットが、本質的にＣＤＭＡスロットと同一のフォーマットを有することがわかる。図２および３のスロットで本質的に同一の形で機能する対応するフィールドは、類似する符号を持つ。スロット４０からスロット７０への主要な変更は、スロット７０のデータ・フィールド８０．１、８０．２、８５．１、および８５．２にある。データ・フィールドのそれぞれに、サイクリック・プレフィックス（ｃｙｃｌｉｃ  ｐｒｅｆｉｘ）９０．１、９０．２、９５．１、および９５．２のうちの１つが含まれることがわかる。ＯＦＤＭＡ方法の技術を有するものに周知のように、サイクリック・プレフィックスは、送信されるデータ・シンボルがＯＦＤＭＡ受信器で回復される処理に重要である。やはり周知のように、サイクリック・プレフィックスの長さは、信号伝搬に関連する遅延広がり（ｄｅｌａｙ  ｓｐｒｅａｄ）に従って有利に変更される。サイクル・プレフィックスの長さを変更することを許容することによって、ＯＦＤＭＡ送信を、少なくともいくつかの場合に、厳しいマルチパス環境で自己干渉に対して非常に堅牢にすることができる。
【００１１】
図３からわかるように、ＣＤＭＡスロットのパイロット・フィールド５０．３および５５．３は、ＯＦＤＭＡスロットのパイロット・フィールド８０．３および８５．３として持ち込まれている。重要なことに、各チャネルで共通のパイロットを使用することによって、ＯＦＤＭＡスロットのデータ・フィールド内でパイロット・サブキャリアを散在させる必要をなくすことができる。その代わりに、ＯＦＤＭＡ受信器は、共通のパイロット・チャネルを処理するチャネル・エスティメータからチャネル推定値を受け取り、この推定値を周波数等化に使用することができる。
【００１２】
図３では、スロット７０が、ＣＤＭＡスロット４０のＭＡＣフィールド５０．４、５０．５、５５．４、および５５．５を維持していることがわかる。代替案では、ＭＡＣフィールドをスロット７０から省略することができ、めいめいの隣接するＭＡＣフィールドに対応するビット部分を、その代わりにデータ・フィールド８０．１、８０．２、８５．１、および８５．２に含めることができる。
【００１３】
図４は、本発明のハイブリッド方式によるＣＤＭＡスロットおよびＯＦＤＭＡスロットによって帯域幅がどのように利用されるかを便利に示すリソース・マトリックスである。この図には、１つのフレームが示されている。水平軸は、時間を表す。時間軸に沿って、フレームが、たとえば従来のＨＲＰＤ実装のように総持続時間２６．６７ｍｓの、１６個のスロットに分割される。垂直軸は、周波数を表す。制限ではなく例示のために、周波数軸を、たとえばＦ１、Ｆ２、…、Ｆ７という符号を付けられた７つのＲＦチャネルに分割する。各チャネルの幅は、たとえば従来のＨＲＰＤ実装のように１．２５ＭＨｚである。
【００１４】
各ＲＦチャネルＦ１、Ｆ２などの中で、ＣＤＭＡ送信が、時分割多重化される。しかし、同時ＣＤＭＡ送信を、同一ユーザまたは異なるユーザへの異なるチャネルで行うことができる。
【００１５】
ＯＦＤＭＡスロットは、ＣＤＭＡスロットと時分割多重化され、ＣＤＭＡスロットと同一のタイミングを有する。したがって、たとえば、ＯＦＤＭＡスロット１００は、この図からわかるように、他のＲＦチャネルで送信されるＣＤＭＡスロットと同時とすることができる。ＯＦＤＭＡスロットは、わずか１つのＲＦチャネルを占めることができるが、通常は、複数のそのようなチャネルにまたがる。ＯＦＤＭＡ送信は、ＨＲＰＤ仕様で通常使用されるパルス整形フィルタを使用する必要がない。
【００１６】
ＯＦＤＭＡスロットを、これから、図５を参照して詳細に説明する。この図には、図４のフレームのセクション１１０が示されている。図示のセクションは、時間軸に沿ってフレーム全体の長さを有するが、周波数軸に沿ってＭチャネルの深さである。Ｍは、ＯＦＤＭＡスロット１２０がまたがるＲＦチャネルの個数である。
【００１７】
この図からわかるように、スロット１２０は、Ｋ個のサブチャネルに分割される。Ｎ個のＯＦＤＭＡシンボルが、Ｋ個のサブチャネル内で符号化される。ＮおよびＫは、アクセス・チャネルの変数である。
【００１８】
任意選択として、１つまたは複数のサブチャネルを、単一のユーザ送信に割り振ることができる。その場合に、大きく異なるスペクトル効率を有するユーザが、異なるＲＦチャネルまたはＲＦチャネルのグループに置かれている場合に、１つのスロットを共用することができる。
【００１９】
任意選択として、Ｋ個すべてのサブチャネルの帯域幅を使用して、複数のユーザを時分割多重化することができる。その場合に、類似するスペクトル効率のユーザが、既知のＨＲＰＤ技法によるマルチユーザ・パケットを使用して、１つのスロットを共用することができる。
【００２０】
ＯＦＤＭＡの方法に精通したものに周知のように、アクセス・ネットワークは、ＦＦＴサイズおよびサイクリック・プレフィックスの持続時間など、ＯＦＤＭＡシンボル・フォーマットのある種の特性を構成することができる。ＦＦＴサイズは、サブキャリアの個数を決定し、通常は、２の連続するべきによって、１２８から１０２４までの範囲にわたる。サイクリック・プレフィックスは、通常は、２の連続するべきによる、ＦＦＴサイズの１／１６から１／４までの持続時間の範囲にわたる。これらの特性は、たとえば動作環境によって提供されるドップラ広がり（Ｄｏｐｐｌｅｒ  ｓｐｒｅａｄ）および遅延広がりなどを考慮して、最良の性能のために有利に選択される。ＤＦＴが、ＦＦＴの代替物として使用可能であり、必ずしも２の連続するべきに関する長さに制限されないことに留意されたい。
【００２１】
ＣＤＭＡの方法に精通したものに周知のように、アクセス・ネットワークは、アクセス端末から受信した各チャネルのＤＲＣレポートに従い、通常はフォワード・リンク・スケジューラで実装されるスケジューリング要件に従って、各ＣＤＭＡ送信のデータ・レートをセットする。
【００２２】
ＤＲＣは、受信したパイロット信号からアクセス端末が測定したＳＩＮＲに依存する。ＳＩＮＲは、チャネルの品質、受信信号電力、および干渉の量を含むさまざまな変動する要因に依存する。例示のために、図６に、仮説シナリオでのＤＲＣ対時間のグラフを示す。曲線１３０は、ＤＲＣの短期変動を反映し、曲線１４０は、より長い時定数を有し、したがって時間平均された変動だけを反映する。
【００２３】
ＣＤＭＡの方法に精通したものに周知のように、ＭＭＳＥ  ＣＤＭＡ受信器などの通常のＣＤＭＡ受信器は、各出力でＳＩＮＲのシーリングを示し、厳しいマルチパス干渉がＳＩＮＲを制限する時に、アクセス・ネットワークに報告されるＤＲＣを制限する。シーリングは、通常、たとえばこの図の曲線１４０によって表される、ＤＲＣの長期推定値に基づく。その結果、より高いデータ・レートが実現可能であるが、シーリングのゆえに禁止される時間期間がある場合がある。そのような期間は、たとえば、この図の区間１６０によって表される。さらに、ＯＦＤＭＡ送信は、自己干渉に対してＣＤＭＡ送信より堅牢なので、スループットのさらなる増加を、高い自己干渉の条件中にＣＤＭＡスロットをＯＦＤＭＡスロットに置換することによって達成することができる。
【００２４】
ＣＤＭＡを使用する通常の高データ・レート・システムでは、時分割多重化されたパイロット・チャネルが、基地局から最大電力で送信される。したがって、セル・サイトの比較的近くに位置するアクセス端末は、相対的に強い自己相関を経験する傾向があり、その結果、ＣＤＭＡデータ・レートに対する相対的に厳しい制限を設ける傾向がある。
【００２５】
そのような状態の下では、上で述べたようにＯＦＤＭＡスロットで送信することが有利である。そのようなＯＦＤＭＡ送信のデータ・レートは、ＤＲＣに代わるレート・インジケータによって示され、このレート・インジケータは、特に高い自己干渉の条件の下で、ＤＲＣより高くなる可能性を有する。本発明人は、そのようなインジケータを“ｅｘｔｅｎｄｅｄ  ＤＲＣ（Ｅ−ＤＲＣ）”と呼ぶ。
【００２６】
おおまかにいって、各チャネルのＥ−ＤＲＣは、自己干渉の影響がアクセス端末内の処理によって打ち消された、受信されたパイロット信号に対するＳＩＮＲ測定に基づく。そのような処理を、“ＰＳＩＣ（パイロット自己干渉打消し）”と称する。ＰＳＩＣのアルゴリズムは、既知であり、たとえば、Ｋ．Ｈｉｇｕｃｈｉ  ｅｔ  ａｌ．，“Ｍｕｌｔｉｐａｔｈ  ｉｎｔｅｒｆｅｒｅｎｃｅ  ｃａｎｃｅｌｌｅｒ  ｆｏｒ  ｈｉｇｈ−ｓｐｅｅｄ  ｐａｃｋｅｔ  ｔｒａｎｓｍｉｓｓｉｏｎ  ｗｉｔｈ  ａｄａｐｔｉｖｅ  ｍｏｄｕｌａｔｉｏｎ  ａｎｄ  ｃｏｄｉｎｇ  ｓｃｈｅｍｅ  ｉｎ  Ｗ−ＣＤＭＡ  ｆｏｒｗａｒｄ  ｌｉｎｋ，”ＩＥＥＥ  Ｊｏｕｒｎａｌ  ｏｎ  Ｓｅｌｅｃｔｅｄ  Ａｒｅａｓ  ｉｎ  Ｃｏｍｍｕｎｉｃａｔｉｏｎｓ  ２０（Ｆｅｂ．２００２），４１９〜４３２ページに記載されている。
【００２７】
Ｅ−ＤＲＣは、現在のＨＲＰＤ実装のＤＲＣフィールドによってサポートされるものを超えてＤＲＣのダイナミック・レンジを拡張する。実際には、Ｅ−ＤＲＣデータを、リバース・リンクで送信されるＤＲＣデータと時分割多重化することができる。
【００２８】
マルチパス環境では、ＰＳＩＣ処理は、問題のパスからの干渉パスを打ち消し、その結果、いくつかの環境でＭＭＳＥ  ＣＤＭＡ受信器によって測定される最高ＳＩＲを１０ｄＢ以上超える場合があるＳＩＮＲ測定値を出力する。したがって、たとえば、図６の区間１７０によってマークされた部分で、アクセス端末によって送信されるＥ−ＤＲＣは、基地局によって、ＯＦＤＭＡフォーマットでの送信の候補データ・レートとして認識される。ＯＦＤＭＡスロットのデータ・レートは、通常、ＣＤＭＡスロットに提供されるデータ・レートより高いが、上で注記したように、競合するトラフィック需要を考慮してスケジューラによって制限される場合がある。Ｅ−ＤＲＣが受信された時であっても、アクセス・ネットワークが、その代わりにＤＲＣデータに応答することを選択し、ＣＤＭＡスロットを送信する場合があることに留意されたい。サイクリック・プレフィックスが、マルチパスの影響を考慮に入れるのに十分に長く、システム制限の範囲内であるならば、ＯＦＤＭＡデータ・レートのＳＩＮＲシーリングは、原理的に、シーリング１５０よりはるかに高くセットすることができる。
【００２９】
注記したように、アクセス・ネットワークは、ＯＦＤＭＡフォーマットで送信することによってＥ−ＤＲＣメッセージに応答することができる。そのような応答を行うための判断は、通常、データ・レートも決定する基地局のフォワード・リンク・スケジューラの役目である。最終的なデータ・レート選択は、現在のトラフィック状態および公平性判断基準によって影響される可能性があり、かなりのリソース共用が必要な場合には、Ｅ−ＤＲＣによって提案されるものより低い場合がある。したがって、具体的には、フォワード・リンク・スケジューラは、ＯＦＤＭＡフォーマットを使用するＥ−ＤＲＣ領域に属するデータ・レートまたはＣＤＭＡフォーマットもしくはＯＦＤＭＡフォーマットを使用するＤＲＣ領域に属するデータ・レートのいずれかを用いて応答することができる。
【００３０】
アクセス・ネットワークは、たとえば、ＣＤＭＡの従来のフォワード・トラフィック・チャネル・プロトコルを使用して、選択された送信フォーマットをアクセス端末に示す。このために、関係するヘッダを拡張して、追加ビットを保持する必要が生じる場合がある。
【００３１】
図１を参照すると、内側領域３０．１に位置するＡＴが、セル・サイトにより近いので、一般に、平均してＯＦＤＭＡ送信から利益を得ることを諒解されたい。対照的に、ＣＤＭＡ送信は、一般に、平均して、外側領域３０．２に位置するＡＴにより有益である。というのは、ＣＤＭＡが、他のセル干渉の平均化およびソフト・ハンドオーバーの実行について特に効果的であるからである。
【００３２】
注記したように、上で説明した原理は、リバース・リンク送信にも適用可能である。リバース・リンクでは、ＯＦＤＭＡ送信が、ＣＤＭＡフレームに使用されるものに直交するＲＦチャネルを占めることができ、あるいは、ＲＦチャネルをＣＤＭＡフレームと共用することができる。ＯＦＤＭＡフォーマットで送信するユーザが、ＣＤＭＡフォーマットで送信するユーザと同一の電力制御プロセスに従属する場合に、ＯＦＤＭＡユーザとＣＤＭＡユーザの間の干渉は、一般に、厳しい障害ではない。リバース・リンクでのＯＦＤＭＡシンボル・フォーマットは、パイロット・サブキャリアが、チャネル推定値を作る際の基地局受信器による使用のために各サブチャネルに導入されることを除いて、フォワード・リンクで使用されるフォーマットに似ている。
【図面の簡単な説明】
【００３３】
【図１】例示的な無線通信システムでのフォワード・リンク通信の概略表現を示す図である。
【図２】通常のＣＤＭＡスロットの概略表現を示す図である。
【図３】例示的な実施形態での本発明によるＯＦＤＭＡスロットの概略表現を示す図である。
【図４】例示的な実施形態での本発明によるＣＤＭＡスロットおよびＯＦＤＭＡスロットによって帯域幅が送信フレーム内でどのように利用されるかを示すリソース・マトリックスである。
【図５】図４のフレームの詳細を示す図である。
【図６】仮説シナリオでのＤＲＣ対時間のグラフを示す図である。このグラフには、ＤＲＣの短期変動を反映した曲線１３０と、より長い時定数を有し、したがってＤＲＣの時間平均された変動だけを反映する曲線１４０が含まれる。
【符号の説明】
【００３４】
３０                セル
２０．１〜２０．６  アクセス端末
【図１】
2006254455.tif 000003
【図２】
2006254455.tif 000004
【図３】
2006254455.tif 000005
【図４】
2006254455.tif 000006
【図５】
2006254455.tif 000007
【図６】
2006254455.tif 000008